(57)【要約】【課題】プラズマディスプレイ装置において、サイドパネル部を必要最低限の輝度で発光表示させて焼き付き現象を軽減することを目的とする。【解決手段】少なくとも前面側が透明な一対の基板を基板間に放電空間が形成されるように対向配置するとともに前記放電空間を複数に仕切るための隔壁を少なくとも一方の基板に配置し、かつ前記隔壁により仕切られた放電空間で放電が発生するように基板に電極群を配置するとともに放電により発光する赤色、緑色および青色の蛍光体層を設けたパネルを有するプラズマディスプレイ装置の駆動方法において、パネルの縦横比と異なる縦横比の映像信号を表示する際に、映像表示を行なう部分以外は、蛍光体層の各色の蛍光体の輝度特性に応じた色と輝度で発光させるものである。【選択図】図６
2005049750.tif 000002
【特許請求の範囲】
【請求項１】
少なくとも前面側が透明な一対の基板を基板間に放電空間が形成されるように対向配置するとともに前記放電空間を複数に仕切るための隔壁を少なくとも一方の基板に配置し、かつ前記隔壁により仕切られた放電空間で放電が発生するように基板に電極群を配置するとともに放電により発光する赤色、緑色および青色の蛍光体層を設けたパネルを有するプラズマディスプレイ装置の駆動方法において、パネルの縦横比と異なる縦横比の映像信号を表示する際に、映像表示を行なう部分以外は、蛍光体層の各色の蛍光体の輝度特性に応じた色と輝度で発光させることを特徴とするプラズマディスプレイ装置の駆動方法。
【発明の詳細な説明】
【技術分野】
【０００１】
本発明は、大画面で、薄型、軽量のディスプレイ装置として知られているプラズマディスプレイ装置の駆動方法に関するものである。
【背景技術】
【０００２】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
ところで、このプラズマディスプレイ装置は、パネルの縦横比と異なる縦横比の映像信号を表示すると、映像表示部と映像表示を行なう部分以外（以下、サイドパネル部という）で輝度差が生じる焼き付き現象が発生する。この焼き付き現象を軽減するために、特許文献１に示すようにさまざまな提案がなされているが、映像信号の平均輝度をサイドパネル部の輝度にしたり、サイドパネル部を一定の輝度で発光表示しておくという方法がとられているが、サイドパネル部が明るく本来の映像表示の妨げとなっている。
【特許文献１】特開２０００−２２７７７５号公報
【発明の開示】
【発明が解決しようとする課題】
【０００６】
本発明は上記問題点に鑑みなされたもので、サイドパネル部を必要最低限の輝度で発光表示させて焼き付き現象を軽減することを目的とする。
【課題を解決するための手段】
【０００７】
上記目的を達成するために本発明のプラズマディスプレイ装置の駆動方法は、少なくとも前面側が透明な一対の基板を基板間に放電空間が形成されるように対向配置するとともに前記放電空間を複数に仕切るための隔壁を少なくとも一方の基板に配置し、かつ前記隔壁により仕切られた放電空間で放電が発生するように基板に電極群を配置するとともに放電により発光する赤色、緑色および青色の蛍光体層を設けたパネルを有するプラズマディスプレイ装置の駆動方法において、パネルの縦横比と異なる縦横比の映像信号を表示する際に、映像表示を行なう部分以外は、蛍光体層の各色の蛍光体の輝度特性に応じた色と輝度で発光させるものである。
【発明の効果】
【０００８】
本発明によれば、パネル本体の縦横比と異なる縦横比の映像信号を表示する際に、各色の蛍光体の発光輝度特性をもとに映像表示を行なう部分以外のサイドパネル部の色と輝度を決定し、発光させるため、最低限の輝度で焼き付き軽減の効果が得られる。
【発明を実施するための最良の形態】
【０００９】
以下、本発明の一実施の形態によるプラズマディスプレイ装置の駆動方法について、図１〜図６を用いて説明するが、本発明の実施の態様はこれに限定されるものではない。
【００１０】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１１】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１２】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１３】
図２にこのプラズマディスプレイパネルの電極配列を示しており、図２に示すようにスキャン電極およびサステイン電極とアドレス電極とは、Ｍ行×Ｎ列のマトリックス構成であり、行方向にはＭ行のスキャン電極ＳＣＮ1〜ＳＣＮMおよびサステイン電極ＳＵＳ1〜ＳＵＳMが配列され、列方向にはＮ列のアドレス電極Ｄ1〜ＤNが配列されている。
【００１４】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１５】
図３に、本実施の形態におけるプラズマディスプレイ装置の表示駆動回路の構成を示している。図３に示すように、図１に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５、１６、Ａ／Ｄコンバータ（アナログ・デジタル変換器）１７、走査数変換部１８、及びサブフィールド変換部１９を備えている。
【００１６】
図３の回路において、まず、映像信号ＶＤは、Ａ／Ｄコンバータ１７に入力される。また、水平同期信号Ｈ及び垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００１７】
走査数変換部１８は、画像データをＰＤＰ１０の画素数に応じたライン数の画像データに変換し、各ラインごとの画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００１８】
放電制御タイミング発生回路１４は、水平同期信号Ｈおよび垂直同期信号Ｖを基準として、放電制御タイミング信号ＳＣ、ＳＵを発生し、各々スキャンドライバ回路１２およびサステインドライバ回路１３に与える。スキャンドライバ回路１２は、出力回路１２１及びシフトレジスタ１２２を有する。また、サステインドライバ回路１３は、出力回路１３１及びシフトレジスタ１３２を有する。これらのスキャンドライバ回路１２及びサステインドライバ回路１３は共通の電源回路１６に接続されている。
【００１９】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００２０】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する。
【００２１】
図４にこのプラズマディスプレイ装置の表示駆動回路のタイミングチャートの一例を示しており、図４に示すように、書き込み期間では、全てのサステイン電極ＳＵＳ1〜ＳＵＳMを０（Ｖ）に保持した後に、第１行目の表示する放電セルに対応する所定のアドレス電極Ｄ1〜ＤNに正の書き込みパルス電圧＋Ｖｗ（Ｖ）を、第１行目のスキャン電極ＳＣＮ1に負の走査パルス電圧−Ｖｓ（Ｖ）をそれぞれに印加すると、所定のアドレス電極Ｄ1〜ＤNと第１行目のスキャン電極ＳＣＮ1との交点部において、書き込み放電が起こる。
【００２２】
次に、第２行目の表示する放電セルに対応する所定のアドレス電極Ｄ1〜ＤNに正の書き込みパルス電圧＋Ｖｗ（Ｖ）を、第２行目のスキャン電極ＳＣＮ2に負の走査パルス電圧−Ｖｓ（Ｖ）をそれぞれに印加すると、所定のアドレス電極Ｄ1〜ＤNと第２行目のスキャン電極ＳＣＮ2との交点部において書き込み放電が起こる。
【００２３】
上記同様の動作が順次に行われて、最後に第Ｍ行目の表示する放電セルに対応する所定のアドレス電極Ｄ1〜ＤNに正の書き込みパルス電圧＋Ｖｗ（Ｖ）を、第Ｍ行目のスキャン電極ＳＣＮMに負の走査パルス電圧−Ｖｓ（Ｖ）をそれぞれに印加すると、所定のアドレス電極Ｄ1〜ＤNと第Ｍ行目のスキャン電極ＳＣＮMとの交点部において書き込み放電が起こる。
【００２４】
次の維持期間では、全てのスキャン電極ＳＣＮ1〜ＳＣＮMを一旦０（Ｖ）に保持すると共に、全てのサステイン電極ＳＵＳ1〜ＳＵＳMに負の維持パルス電圧−Ｖｍ（Ｖ）を印加すると、書き込み放電を起こした前記交点部におけるスキャン電極ＳＣＮ1〜ＳＣＮMとサステイン電極ＳＵＳ1〜ＳＵＳMとの間に維持放電が起こる。次に全てのスキャン電極ＳＣＮ1〜ＳＣＮMと全てのサステイン電極ＳＵＳ1〜ＳＵＳMとに負の維持パルス電圧−Ｖｍ（Ｖ）を交互に印加することにより、表示する放電セルにおいて維持放電が継続して起こる。この維持放電の発光によりパネル表示が行われる。
【００２５】
次の消去期間において、全てのスキャン電極ＳＣＮ1〜ＳＣＮMを一旦０（Ｖ）に保持すると共に、全てのサステイン電極ＳＵＳ1〜ＳＵＳMに消去パルス電圧−Ｖｅ（Ｖ）を印加すると、消去放電を起こして放電が停止する。
【００２６】
図５（ａ）、（ｂ）は、横長のＰＤＰ１０の画面の縦横比と、表示する映像信号の縦横比の例を示すもので、図５において、２０はＰＤＰ１０の画面の映像表示部、２１はサイドパネル部である。また、図５（ａ）は映像表示部２０の左右両側にサイドパネル部２１が存在する場合の画面を示し、図５（ｂ）は映像表示部２０の上下にサイドパネル部２１が存在する場合の画面を示すものである。
【００２７】
また、図６は、ＰＤＰ１０の赤色（Ｒ）、緑色（Ｇ）および青色（Ｂ）の各色の蛍光体の発光輝度特性を示す図であり、図６に示すように、Ｒの特性は発光時間にかかわらずほぼ一定であり、ＧとＢは発光時間と共に輝度が低下するが、ＢはＧの約２倍輝度が低下する。
【００２８】
本発明の駆動方法では、このようなＰＤＰ１０における蛍光体の輝度特性を利用し、輝度特性に応じて、サイドパネル部２１の発光の色と輝度を決定するもので、Ｒは発光時間により輝度がほとんど低下しないことから焼き付き軽減という観点からはサイドパネル部２１として発光させても発光させなくても影響はなく、できるだけサイドパネル部２１の輝度を低くしたい場合は、Ｒを発光させず、またＧはＢに比べて約半分の輝度で発光させるものである。
【００２９】
例えば、２５５ステップが１００％の輝度と想定すると、映像表示部２０の平均輝度が白色１００ステップの場合、サイドパネル部２１は、本発明においては、発光輝度特性に基づき、白色１００ステップ相当にあたるＲを０ステップ、Ｇを５０ステップ、Ｂを１００ステップとすることにより、実際のサイドパネル部２１の輝度は、ＲＧＢの発光強度比Ｒ：３、Ｇ：６、Ｂ：１で換算すると、従来のサイドパネル部２１の輝度レベルを１００とした場合、本発明では４０の輝度で、従来と同等の焼き付き軽減効果を得ることができる。なお、従来においては、Ｒを１００ステップ、Ｇを１００ステップ、Ｂを１００ステップとしていた。
【００３０】
以上の説明から明らかなように、本発明によれば、パネルの縦横比と異なる縦横比の映像信号を表示する際に、ＰＤＰの各色の蛍光体の発光輝度特性をもとに、サイドパネル部の色と輝度を決定するため、最低限の輝度で焼き付き軽減の効果が得られる。
【産業上の利用可能性】
【００３１】
以上のように本発明によれば、パネルの縦横比と異なる縦横比の映像信号を表示する際に、サイドパネル部を必要最低限の輝度で発光表示でき、焼き付き現象を軽減したプラズマディスプレイ装置を提供することができる。
【図面の簡単な説明】
【００３２】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の表示駆動回路の一例を示すブロック回路図
【図４】同プラズマディスプレイ装置の駆動方法の一例を示す信号波形図
【図５】同プラズマディスプレイ装置の画面の例を示す平面図
【図６】蛍光体の発光輝度特性を示す特性図
【符号の説明】
【００３３】
１、５  基板
２  表示電極
７  アドレス電極
１０  プラズマディスプレイパネル
２０  映像表示部
２１  サイドパネル部
【図１】
2005049750.tif 000003
【図２】
2005049750.tif 000004
【図３】
2005049750.tif 000005
【図４】
2005049750.tif 000006
【図５】
2005049750.tif 000007
【図６】
2005049750.tif 000008